(57)【要約】【課題】モード切替機能が付いたカメラモジュールにおいて、モード切替時の摺動によって生じる磨耗塵が受光領域へ侵入するのを防いで、良好な撮影品質を維持する。【解決手段】カメラモジュール１は、外部から入射される光を集光して出射するレンズと、レンズを保持するレンズユニット２と、フランジ部を有し、レンズユニット２を保持するバレル保持部８と、バレル保持部８をレンズの光軸方向に移動させる移動手段と、バレル保持部８のフランジ部が突出した状態で、且つ、摺動可能な状態で収納するレンズ収納部を有する台座３とを有し、移動手段は、バレル保持部８のフランジ部の下端面と台座３のレンズ収納部の上端面とに形成されている。【選択図】図２
2009139558.tif 000002
【特許請求の範囲】
【請求項１】
外部から入射される光を集光して出射するレンズと、
前記レンズを保持するバレルと、
フランジ部を有し、前記バレルを保持するバレル保持部と、
前記バレル保持部を前記レンズの光軸方向に移動させる移動手段と、
前記バレル保持部の前記フランジ部が突出した状態で、且つ、摺動可能な状態で収納する収納部を有する台座マウントと
を有し、
前記移動手段は、前記バレル保持部の前記フランジ部の下端面と前記台座マウントの前記収納部の上端面とに形成されたことを特徴とするレンズモジュール。
【請求項２】
前記移動手段は、
前記バレル保持部の前記フランジ部の前記下端面に形成され、前記台座マウントの前記収納部の前記上端面に接触する凹部又は凸部と、
前記台座マウントの前記収納部の前記上端面に形成され、前記バレル保持部の前記フランジ部の前記下端面の前記凹部又は凸部に対応する凸部又は凹部と
を有することを特徴とする請求項１に記載のレンズモジュール。
【請求項３】
前記移動手段を構成する前記凹部は、深さが異なる第１の保持位置及び第２の保持位置と、当該第１及び第２の保持位置の間に形成された傾斜面とを有し、
前記バレル保持部が回転されて当該バレル保持部又は前記台座マウントの前記凸部が当該バレル保持部又は当該台座マウントの前記第１の保持位置に保持されるとき、当該バレル保持部を前記レンズの光軸方向の第１の位置に移動させ、
前記バレル保持部が回転されて当該バレル保持部又は前記台座マウントの前記凸部が当該バレル保持部又は当該台座マウントの前記第２の保持位置に保持されるとき、当該バレル保持部を前記光軸方向の第２の位置に移動させることを特徴とする請求項２に記載のレンズモジュール。
【請求項４】
前記移動手段を構成する前記凹部は、前記第１及び第２の保持位置の間に凸部を有し、
前記第１及び第２の保持位置と前記凸部とは傾斜面により接続されていることを特徴とする請求項３に記載のレンズモジュール。
【請求項５】
外部から入射される光を集光して出射するレンズと、
前記レンズを保持するバレルと、
フランジ部を有し、前記バレルを保持するバレル保持部と、
前記バレル保持部を前記レンズの光軸方向に移動させる移動手段と、
前記バレル保持部の前記フランジ部が突出した状態で、且つ、当該バレル保持部を摺動可能な状態で収納する収納部を有する台座マウントと、
前記バレル保持部の前記フランジ部の下端面を前記台座マウントの前記収納部の上端面に押し付ける弾性部材と、
前記台座マウントの前記収納部に取り付けられ、前記弾性部材を前記レンズの光軸方向に押圧する弾性部材押圧手段と
を有し、
前記台座マウントは、当該台座マウントの前記収納部に前記弾性部材押圧手段が取り付けられる取付穴を有し、
前記台座マウントは、前記レンズの光軸に垂直の方向に移動し相対して配置された２つのスライダ金型によって当該台座マウントの前記収納部の側壁面から前記取付穴まで形成され、前記弾性部材押圧手段が係合する係合面を有することを特徴とするレンズモジュール。
【請求項６】
前記台座マウントは、当該台座マウントの前記取付穴が少なくとも３個あることを特徴とする請求項５に記載のレンズモジュール。
【請求項７】
外部から入射される光を集光して出射するレンズと、
前記レンズを保持するバレルと、
フランジ部を有し、前記バレルを保持するバレル保持部と、
前記バレル保持部を前記レンズの光軸方向に移動させる移動手段と、
前記バレル保持部の前記フランジ部が突出した状態で、且つ、摺動可能な状態にて収納する収納部を有する台座マウントと、
前記台座マウントに収納され、前記レンズから出射された光を受光領域にて受光して電気信号に変換して出力する撮像素子と
を有し、
前記移動手段は、前記バレル保持部の前記フランジ部の下端面と前記台座マウントの前記収納部の上端面とに形成されたことを特徴とするカメラモジュール。
【発明の詳細な説明】
【技術分野】
【０００１】
本発明は、携帯電話機等に搭載されるモード切替機能付のレンズモジュール等に関する。
【背景技術】
【０００２】
撮影機能付き携帯電話機や監視用カメラ等に用いられる小型カメラモジュールには、簡易な方法で標準撮影モード（無限遠モード）と接写モードとを切り替えるモード切替機能付のカメラモジュールが登場してきている。
撮影モードの切替機能が付いたカメラモジュールに関する公報記載の従来技術として、例えば、光学ユニットを内側に収納保持する円筒状のリード枠体と、このリード枠体と内側で螺合する本体部と、この本体部の底部に取り付けられる固体撮像素子とを有し、リード枠体を回転させることによって本体部内で軸方向に移動して光学ユニットの焦点距離を変化させるカメラにおいて、リード枠体の外周に周方向に断続的でかつ軸方向でずれた複数条のねじ山またはねじ溝を形成し、この多条のねじ山またはねじ溝と螺合するねじ溝またはねじ山を本体部の内周に形成したカメラの技術が存在する（特許文献１参照）。
【０００３】
【特許文献１】特開２００５−１５７２９０号公報（特に段落〔００８６〕参照）
【発明の開示】
【発明が解決しようとする課題】
【０００４】
モード切替機能が付いたカメラモジュールは、撮像素子に対するレンズの位置（撮像素子とレンズとの距離）を変化させてモードの切り替えを実現するのが一般的である。カメラモジュール内でレンズの位置を移動させ、且つ、移動後の位置にてレンズを固定するには、レンズを基準となる面に対して摺動させることが最も簡易かつ確実な方法である。
しかし、小型化のために摺動部分をカメラモジュール内に配置すると、摺動によって生じた磨耗塵がカメラモジュール内を移動し受光領域へ侵入して磨耗塵が画像に大きく写り込む恐れがある。
【０００５】
本発明は、モード切替機能が付いたカメラモジュールにおいて、モード切替時の摺動によって生じる磨耗塵が受光領域へ侵入するのを防いで、良好な撮影品質を維持することを目的とする。
【課題を解決するための手段】
【０００６】
上記課題を解決するために、本発明にかかるレンズモジュールは、外部から入射される光を集光して出射するレンズと、レンズを保持するバレルと、フランジ部を有し、バレルを保持するバレル保持部と、バレル保持部をレンズの光軸方向に移動させる移動手段と、バレル保持部のフランジ部が突出した状態で、且つ、摺動可能な状態で収納する収納部を有する台座マウントとを有し、移動手段は、バレル保持部のフランジ部の下端面と台座マウントの収納部の上端面とに形成されたことを特徴とする。
【０００７】
ここで、移動手段は、バレル保持部のフランジ部の下端面に形成され、台座マウントの収納部の上端面に接触する凹部又は凸部と、台座マウントの収納部の上端面に形成され、バレル保持部のフランジ部の下端面の凹部又は凸部に対応する凸部又は凹部とを有することを特徴とすれば、凹部と凸部の係合により、レンズの光軸方向に移動させたバレル保持部を確実に保持することができる。
また、移動手段を構成する凹部は、深さが異なる第１の保持位置及び第２の保持位置と、第１及び第２の保持位置の間に形成された傾斜面とを有し、バレル保持部が回転されてバレル保持部又は台座マウントの凸部がバレル保持部又は台座マウントの第１の保持位置に保持されるとき、バレル保持部をレンズの光軸方向の第１の位置に移動させ、バレル保持部が回転されてバレル保持部又は台座マウントの凸部がバレル保持部又は台座マウントの第２の保持位置に保持されるとき、バレル保持部を光軸方向の第２の位置に移動させることを特徴とすれば、凸部は傾斜面を移動して第１の保持位置と第２の保持位置との間を移動できるので、摺動時に生じる磨耗粉を減らすことができる。
更に、移動手段を構成する凹部は、第１及び第２の保持位置の間に凸部を有し、第１及び第２の保持位置と凸部とは傾斜面により接続されていることを特徴とすれば、凸部を第１の保持位置又は第２の保持位置に留まらせることができるので、衝撃等によって凸部が移動することを抑えられ、磨耗粉を減らすことができる。
【０００８】
上記課題を解決するために、本発明にかかるレンズモジュールは、外部から入射される光を集光して出射するレンズと、レンズを保持するバレルと、フランジ部を有し、バレルを保持するバレル保持部と、バレル保持部をレンズの光軸方向に移動させる移動手段と、バレル保持部のフランジ部が突出した状態で、且つ、バレル保持部を摺動可能な状態で収納する収納部を有する台座マウントと、バレル保持部のフランジ部の下端面を台座マウントの収納部の上端面に押し付ける弾性部材と、台座マウントの収納部に取り付けられ、弾性部材をレンズの光軸方向に押圧する弾性部材押圧手段とを有し、台座マウントは、台座マウントの収納部に弾性部材押圧手段が取り付けられる取付穴を有し、台座マウントは、レンズの光軸に垂直の方向に移動し相対して配置された２つのスライダ金型によって台座マウントの収納部の側壁面から取付穴まで形成され、弾性部材押圧手段が係合する係合面を有することを特徴とする。
【０００９】
ここで、台座マウントは、台座マウントの取付穴が少なくとも３個あることを特徴とすれば、簡易な構成の金型で台座マウントを成形することができる。
【００１０】
上記課題を解決するために、本発明にかかるカメラモジュールは、外部から入射される光を集光して出射するレンズと、レンズを保持するバレルと、フランジ部を有し、バレルを保持するバレル保持部と、バレル保持部をレンズの光軸方向に移動させる移動手段と、バレル保持部のフランジ部が突出した状態で、且つ、摺動可能な状態にて収納する収納部を有する台座マウントと、台座マウントに収納され、レンズから出射された光を受光領域にて受光して電気信号に変換して出力する撮像素子とを有し、移動手段は、バレル保持部のフランジ部の下端面と台座マウントの収納部の上端面とに形成されたことを特徴とする。
【発明の効果】
【００１１】
本発明によれば、モード切替機能が付いたカメラモジュールにおいて、モード切替時の摺動によって生じる磨耗塵が受光領域へ侵入するのを防いで、良好な撮影品質を維持できる。
【発明を実施するための最良の形態】
【００１２】
以下、添付図面を参照して、本発明の実施の形態について詳細に説明する。
図１は、本実施の形態にかかるカメラモジュール１を示す外観斜視図であり、図２は、本実施の形態にかかるカメラモジュール１の分解斜視図である。
【００１３】
図１及び図２に示すように、カメラモジュール１は、複数のレンズを収納して保持し（図３参照）、センサ１６（図３参照）の受光領域（撮像エリア）１６ａ上に入射光を結像するレンズユニット２と、レンズユニット２を保持する台座マウントの一例としての台座３とを備えている。台座３には、ばね押さえ９が嵌め込まれて取り付けられている。そして、ばね押さえ９と台座３との間から後述するバレル保持部８（図３参照）のレバー８ａが突出している。
台座３は、接着剤（図示省略）を使って回路基板２０に接着されている。回路基板２０において、台座３が接着された位置とは反対側の端にコネクタ２１が接続されている。台座３は、回路基板２０に埋め込まれた図示しない回路パターンによってコネクタ２１に電気的に接続されている。
【００１４】
図２に示すように、カメラモジュール１は、複数のレンズを収納して保持するレンズユニット２と、レンズユニット２を螺合して保持するバレル保持部８とを有している。また、カメラモジュール１は、バレル保持部８に取り付けられる弾性部材の一例としてのばね１０と、ばね１０を押さえる弾性部材押圧手段の一例としてのばね押さえ９とを有している。ばね押さえ９は脚部９ｃ（図３参照）が台座３の取付穴３ｄに嵌め込まれて取り付けられている。
レンズユニット２が螺合されるバレル保持部８は、台座３に収納される。また、カメラモジュール１は、外光の特定の周波数成分を除去するフィルタ１５と、受光領域１６ａに入射した光を電気信号に変換する撮像素子の一例としてのセンサ１６（図３参照）と、フィルタ１５とセンサ１６との間に配置された方形のガラスカバー１７とを備えている。
【００１５】
図３は、図１の断面Ｘ−Ｘ’の位置におけるカメラモジュール１の縦断面図である。
図３に示すように、レンズユニット２は、レンズユニット２本体を構成するバレル２ａ内に、入射側に配置される第１のレンズ４と出射側に配置される第２のレンズ６とを保持している。また、レンズユニット２は、第１及び第２のレンズ４，６の間に中間環５を備えている。更に、レンズユニット２は、レンズ押さえ７を有しており、第２のレンズ６を所定位置に保持している。
【００１６】
バレル２ａは、略円筒形状を有している。バレル２ａは、外光が入射する端面側に開口部２ｂが形成されている。バレル２ａの外周面には、雄ねじ２ｃが形成されている。
バレル２ａは、例えば、黒色のポリカーボネート（ＰＣ）樹脂、液晶ポリマー（ＬＣＰ）、ポリブチレンテレフタレート（ＰＢＴ）樹脂、ポリフタルアミド（ＰＦＡ）樹脂、ＰＥＥＫ（ポリエーテルエーテルケトン）樹脂等の遮光性を有する合成樹脂により構成される。
【００１７】
第１及び第２のレンズ４，６は、外光を透過してセンサ１６の受光領域（撮像エリア）１６ａに結像させるための光学素子である。即ち、バレル２ａの開口部２ｂから入射した外光が第１及び第２のレンズ４，６によってセンサ１６の受光領域１６ａに結像させるように、第１及び第２のレンズ４，６が所定の光学系を形成する。尚、本実施の形態では、レンズユニット２は、第１及び第２のレンズ４，６という２枚のレンズで構成されるが、レンズは１枚或いは３枚であっても構わない。所定の光学系は、単一のレンズ又は複数枚のレンズ群で構成される。
第１及び第２のレンズ４，６は、例えば、透明なポリカーボネート（ＰＣ）樹脂や環状オレフィン（ＣＯＰ）樹脂等の熱可塑性樹脂、或いは、シリコーン樹脂やガラスなど透光性を有する材料で構成される。
【００１８】
中間環５は、薄板円環形状を有している。中間環５は、例えば、カーボンブラックを練り込んだ延伸ポリエステル（ＰＥＴ）等の合成樹脂フィルムで構成されている。中間環５は、第１のレンズ４と第２のレンズ６の面間距離を一定に保つと共に、通過光量を制限する絞り機能を有しており、光学系の開口径を決定する光学絞り、或いは、ゴースト、フレア等の不要光を遮光する遮光絞りとして使われる。
レンズ押さえ７は、略円環形状を有している。レンズ押さえ７は、例えば、黒色のポリカーボネート（ＰＣ）樹脂等で構成される。図示しない接着剤にてバレル２ａの内壁面に接着されている。
レンズユニット２は、バレル保持部８にねじ込まれる。バレル保持部８の上部にはばね１０が取り付けられ、ばね押さえ９が台座３の所定位置に嵌め込まれることによって、レンズユニット２が螺合されたバレル保持部８は台座３のレンズ収納部３ａに収納される。
【００１９】
次に、バレル保持部８の形状を図面を用いて説明する。
図４は、バレル保持部８を下方より見た斜視図である。
バレル保持部８は、例えば、黒色のポリカーボネート（ＰＣ）樹脂、液晶ポリマー（ＬＣＰ）、ポリブチレンテレフタレート（ＰＢＴ）樹脂、ポリフタルアミド（ＰＦＡ）樹脂、ＰＥＥＫ（ポリエーテルエーテルケトン）樹脂、ポリアセタール（ＰＯＭ）樹脂等の遮光性を有する合成樹脂により構成される。
【００２０】
図４に示すように、バレル保持部８は、概ね円筒形状であって、外周面にレバー８ａが突出して形成されている。このレバー８ａを操作することにより、バレル保持部８は台座３（図３参照）のレンズ収納部３ａ（図３参照）内で摺動して回転する。また、バレル保持部８は内壁面に、バレル２ａの雄ねじ２ｃと螺合する雌ねじ８ｂが形成されている。
バレル保持部８の上方（図４では下方）にはフランジ部８ｃが形成されており、フランジ部８ｃの下端面に複数の凸部８ｄが周方向にほぼ均等に形成されている。
【００２１】
図３に戻って説明を続ける。
バレル保持部８は、レンズユニット２を収納した状態で台座３にセットされる。このとき、バレル保持部８のフランジ部８ｃの下端面に形成された凸部８ｄ（図４参照）が、台座３のレンズ収納部３ａの上端面に形成された凹部３ｆ（図５参照）に当接して、レンズユニット２の光軸方向の移動を実現している。この点については、焦点調節機能として後述する。
台座３は、レンズユニット２が取り付けられる収納部の一例としてのレンズ収納部３ａと、フィルタ１５やセンサ１６、ガラスカバー１７を収容保持する素子収納部３ｂとが一体に構成されている。また、台座３は、レンズ収納部３ａの内部空間と素子収納部３ｂの内部空間とが連続するように構成されている。また、台座３は、内面から延びて内部空間を狭めるように形成されたフランジ部３ｃを有する。
【００２２】
ここで、台座３の形状を図面を用いて説明する。
図５は、台座３の斜視図である。
図５に示すように、台座３は、レンズ収納部３ａ（図３参照）の四隅に、ばね押さえ９の脚部９ｃ（図３参照）が入り込んで取り付けられる取付穴３ｄが形成されている。この取付穴３ｄは、図３に示すように、素子収納部３ｂ（図３参照）まで貫通しておらず、迷光が素子収納部３ｂに浸入するのを防いでいる。また、取付穴３ｄには、側壁面から横穴３ｅが形成されている。この横穴３ｅについては後述する。
【００２３】
また、台座３は、レンズ収納部３ａ（図３参照）の上端面には移動手段の一例としての凹部３ｆが複数形成されている。本実施の形態では、３つの凸部３ｆが周方向にほぼ均等に形成されている。そして、この凹部３ｆにバレル保持部８（図３参照）の凸部８ｄが当接して、レンズユニット２の光軸方向の移動を実現している。これについては、焦点調節機能として後述する。更に、台座３は、レバー８ａ（図４参照）の移動範囲を制限する２つのストッパー３ｇ，３ｈが形成されている。
台座３は、例えば、黒色のポリカーボネート（ＰＣ）樹脂、液晶ポリマー（ＬＣＰ）、ポリブチレンテレフタレート（ＰＢＴ）樹脂、ポリフタルアミド（ＰＦＡ）樹脂、ＰＥＥＫ（ポリエーテルエーテルケトン）樹脂等の遮光性を有する合成樹脂により構成される。
【００２４】
図６は、ばね押さえ９の斜視図である。
ばね押さえ９は、ばね１０（図２参照）に覆いかぶさって押さえる円環部９ａと、円環部９ａの周囲に形成され、ばね１０（図２参照）を所定位置に保持するスカート部９ｂと、ばね押さえ９を台座３（図２参照）に取り付ける脚部９ｃとを有して形成されている。そして、脚部９ｃの先端部分が台座３の取付穴３ｄの横穴３ｅに係合することで、ばね押さえ９はばね１０（図２参照）を押さえた状態で取り付けられる。
ばね押さえ９は、例えば、黒色のポリカーボネート（ＰＣ）樹脂、液晶ポリマー（ＬＣＰ）、ポリブチレンテレフタレート（ＰＢＴ）樹脂、ポリフタルアミド（ＰＦＡ）樹脂、ＰＥＥＫ（ポリエーテルエーテルケトン）樹脂、ＡＢＳ（アクリロニトリル・ブタジエン・スチレン）樹脂、ポリアセタール（ＰＯＭ）樹脂等の遮光性を有する合成樹脂により構成される。ばね押さえ９は、台座３の取付穴３ｄに嵌め込まれて使用されるので、カメラモジュール１の使用環境下の温度における台座３との膨張差を考慮して材料が選択される。例えば、台座３と同じ材料が好ましい。
【００２５】
図７は、ばね押さえ９が台座３に係合する状態を説明するための図である。
図７に示すように、ばね押さえ９が有する脚部９ｃが、台座３の取付穴３ｄに入り込んで、脚部９ｃの先端部分が台座３の横穴３ｅに形成された水平面に引っ掛かることで係合する。そして、ばね押さえ９は、台座３との間に挟み込んだばね１０（図２参照）の復元力によって、バレル保持部８を台座３に押し付ける。
【００２６】
図３に戻って説明を続ける。
ばね１０は、略円環形状で、周方向に山と谷とが交互に且つ等間隔に複数形成された波状の薄板である。例えば、板厚が０．０５ｍｍ程度のリン青銅やＳＵＳ鋼板等の一般的なばね材で構成される。ばね１０は、ばね押さえ９と共に、バレル保持部８を上方から下方に向かって押し付ける機能を有している。これにより、バレル保持部８のフランジ部８ｃ（図４参照）の下端面に形成された凸部８ｄ（図４参照）が、台座３のレンズ収納部３ａの上端面に形成された凹部３ｆ（図５参照）に当接する。
フィルタ１５は、外光の特定の波長成分を除去する薄板の部材である。本実施の形態では、多層膜による光の干渉によって赤外光をカットする赤外線除去フィルタ（ＩＲＣＦ：Infrared Cut Filter）を用いている。フィルタ１５は、台座３のフランジ部３ｃに取り付けられる。フィルタ１５がフランジ部３ｃに取り付けられたとき、台座３の内部空間はレンズ収納部３ａと素子収納部３ｂの２つに仕切られる。このフィルタ１５は、センサ１６の近傍に配置されており、センサ１６側を密閉して異物がセンサ１６側に浸入することを防止している。
【００２７】
センサ１６は、ＣＣＤ（Charge Coupled Device）やＣＭＯＳ（Complementary Metal Oxide Semiconductor）等のイメージセンサ（撮像素子）である。本実施の形態では、ＣＳＰ（Chip Scale Package）構造を有するセンサを用いている。センサ１６は、レンズユニット２を介して受光領域１６ａに結像した光に応じて電気信号を生成し、出力する。
ガラスカバー１７は、フィルタ１５とセンサ１６との間に配置されている。ガラスカバー１７には、センサ１６の受光領域１６ａ側の面をガラスカバー１７に向けた状態でセンサ１６が固着されている。これにより、センサ１６の受光領域１６ａに埃等が直接落ちることを防いでいる。
ガラスカバー１７は、方形を有している。ガラスカバー１７は、例えば、ガラス又は石英ガラス等の可視光に対して透光性を有する透明体により構成される。
【００２８】
ガラスカバー１７の出射面（図３における下面）側には、配線パターン１７ａが予め設けられている。そして、この配線パターン１７ａの電極とセンサ１６とをつなぐように複数の半田バンプ１８が位置している。電極の位置に取り付けられた半田バンプ１８によって、センサ１６はガラスカバー１７に固定されると共に、ガラスカバー１７の電極と電気的に接続されている。
ここで、センサ１６とガラスカバー１７との離間距離は、半田バンプ１８の大きさによって決定される。半田バンプ１８の大きさを制御することは容易であるから、センサ１６とガラスカバー１７との位置決めを正確に行うことが可能である。また、複数の半田バンプ１８により位置決めすることから、センサ１６とガラスカバー１７との離間距離が平均化される。
【００２９】
ガラスカバー１７の出射面側の電極の別の位置には、半田バンプ１９が配置されている。この半田バンプ１９により、ガラスカバー１７と回路基板２０との間の電気的な接続が確保される。この半田バンプ１９は、ガラスカバー１７に固定されているセンサ１６と回路基板２０とが互いに離間するためのスペーサとしても用いられている。
回路基板２０は、例えば、ガラス繊維とエポキシ樹脂を主材とする絶縁性材料で構成され、表面に銅等の導体箔層を形成し、更に導体箔層の上に絶縁体層を被せて保護している。本実施の形態に使用する回路基板２０は、厚さが約０．２ｍｍである。尚、ポリイミド樹脂を主体とするフレキシブルプリント基板で構成されても良い。
【００３０】
（焦点調節機能）
図４を用いて説明したように、バレル保持部８のフランジ部８ｃの下端面には、台座３のレンズ収納部３ａの上端面に当接する凸部８ｄが形成されている。また、図５を用いて説明したように、台座３のレンズ収納部３ａの上端面には、凸部８ｄに対応して凹部３ｆが形成されている。
【００３１】
ここで、カメラモジュール１における焦点調節機能を実現するための移動手段を、各部の構成を模式的に示した図８を用いて以下に説明する。
図８は、焦点調節機能を説明するための図である。図８（ａ）は、焦点調節機能を実現するための移動手段の一例を示す図であり、図８（ｂ）は、移動手段の他の例を示す図である。
【００３２】
図８（ａ）に示すように、凹部３ｆは、深さが異なる第１の保持位置３ｆ1及び第２の保持位置３ｆ2が傾斜面を挟んで接続されて形成されている。また、説明のために、バレル保持部８（図４参照）の凸部８ｄが、第１及び第２の保持位置３ｆ1，３ｆ2のそれぞれに係合した状態が表示されている。
バレル保持部８（図４参照）が回転されて、凸部８ｄが第１の保持位置３ｆ1に係合するとき、バレル保持部８はレンズユニット２の光軸方向の第１の位置に移動する。これにより、レンズユニット２は、センサ１６の側に近い位置（第１の位置）となる。このとき、レンズユニット２は、焦点位置が無限遠モード（標準撮影モード）となるように調整される。
【００３３】
レバー８ａ（図４参照）が操作されてバレル保持部８が台座３のレンズ収納部３ａ内で回転操作されると、ばね押さえ９とばね１０とによってバレル保持部８は台座３に押し付けられる方向の力を受けるので、凸部８ｄは凹部３ｆに当接された状態で摺動する。
凸部８ｄが第２の保持位置３ｆ2に係合するとき、バレル保持部８をレンズユニット２の光軸方向の第２の位置に移動させる。これにより、バレル保持部８はセンサ１６から離れる位置（第２の位置）に持ち上げられる。このとき、レンズユニット２は、焦点位置が接写モードとなるように調整される。
【００３４】
このように、第１の保持位置３ｆ1と第２の保持位置３ｆ2とは傾斜面を挟んで接続されているので、凸部８ｄの摺動によって生じる磨耗塵を抑えることができる。
レバー８ａの操作によって、レンズユニット２を無限遠モード又は接写モードにセットすることができるので、凹部３ｆと凸部８ｄとは、バレル保持部８をレンズユニット２の光軸方向に移動させる移動手段の一例として機能する。尚、台座３に凸部が形成され、バレル保持部８に凹部が形成されて、バレル保持部８をレンズユニット２の光軸方向に移動させてもよい。
【００３５】
図８（ｂ）に示すように、台座３のレンズ収納部３ａの上端面に形成される凹部３ｆは、第１の保持位置３ｆ1及び第２の保持位置３ｆ2の間に凸部３ｊを有し、第１の保持位置３ｆ1及び第２の保持位置３ｆ2と凸部３ｊとが傾斜面により接続された形状としても良い。凸部３ｊがあることで、例えばカメラモジュール１の落下等の衝撃によって、凸部８ｄが第２の保持位置３ｆ2から移動するのを防ぐことができ、摺動によって生じる磨耗塵を抑えることができる。
【００３６】
以上に説明したように、本実施の形態にかかるカメラモジュール１によれば、台座３のレンズ収納部３ａの上端面に形成された凹部３ｆとバレル保持部８のフランジ部８ｃの下端面に形成された凸部８ｄとが移動手段として機能し、バレル保持部８をレンズユニット２の光軸方向に移動させる。凹部３ｆと凸部８ｄとの摺動によって生じる磨耗塵は約５０μｍであり、バレル保持部８と台座３のレンズ収納部３ａとの隙間は約２５μｍになるように製作されているので、磨耗塵が受光領域１６ａへ侵入するのを防ぐ。よって、カメラモジュール１は良好な撮影品質を維持することができる。
また、凹部３ｆと凸部８ｄとは傾斜面を介して接続しているので、摺動時に生じる磨耗粉を減らすことができる。
更に、凹部３ｆは、第１の保持位置３ｆ1と第２の保持位置３ｆ2との間に凸部が形成されれば、例えばカメラモジュール１の落下等の衝撃によって、凸部８ｄが第２の保持位置３ｆ2から移動するのを防ぐことができ、摺動によって生じる磨耗塵を抑えることができる。
【００３７】
（成形を考慮した台座３の形状）
次に、成形を考慮した台座３の形状を以下に説明する。
図７を用いて既に説明したように、ばね押さえ９の脚部９ｃが台座３の取付穴３ｄに入り込み、脚部９ｃの先端部分を台座３の横穴３ｅに形成された水平面に引っ掛けることで係合している。
台座３が四角形状であることを考慮すれば、台座３に対してばね押さえ９を確実に取り付けるには、台座３の対角線上に取付穴３ｄを２箇所配するよりも、各角部に対応させて４箇所設けることが好ましい。このとき、横穴３ｅも４箇所設けることになる。
【００３８】
ところで、台座３は、バレル収納部３ａと素子収納部３ｂ（いずれも図３参照）の上下２方向（レンズユニット２の光軸方向）に分けられる２つの金型によって成形される。よって、レンズユニット２の光軸方向（金型の移動方向）に垂直な横穴３ｅは、スライド金型によって製作される。
図９は、本実施の形態にかかる台座３の成形金型を説明するための図であり、図１０は、従来の成形金型を説明するための図である。
【００３９】
４つの角部に設けられた取付穴３ｄに対応させて４つの横穴をスライド金型にて成形するには、例えば、図１０に示すように、各横穴に対応させた４つのスライド金型を４方向にスライドさせる構成が考えられる。しかし、これでは、金型が複雑で、金型製造等の製造設備の費用が高い。また、同時に複数の成形品を製作するいわゆる複数個取りが困難であると共に、スライド移動の管理が複雑ゆえ成形時のサイクルタイムが大きくなって、製造原価の低減が困難である。
これに対して、図９に示すように、対向して配置された２つのスライド金型が左右２方向にスライドする構成とすれば、スライド金型の製作費（初期費用）が低減でき、また、台座３の成形時におけるサイクルタイムを短縮できるので、製造原価を低減できる。
【００４０】
図９に示すスライド金型で４つの横穴３ｅを成形できるようにするためには、横穴３ｅがスライド金型の移動の障害とならない形状にする必要がある。具体的には、相対して配置されレンズユニット２の光軸に垂直の方向に移動する２つのスライダ金型によって、横穴３ｅが成形されればよい。
具体的には、スライド金型が製作する横穴３ｅの面が、スライド金型の移動方向に対して陽であればよい。即ち、スライド金型が製作する横穴３ｅの面の法線ベクトルが、対応するスライド金型の移動方向のベクトルに対して直角であるか、或いは、同じ向きの成分を有していれば良い。
【００４１】
図１１は、本実施の形態にかかる台座３の横穴３ｅの形状を説明するための図である。
図１１（ａ）に示すように、例えば、面３１の法線ベクトルは、スライド金型の移動方向のベクトルと同じである。面３２の法線ベクトルは、スライド金型の移動方向のベクトルに対して４５度であるから、同じ向きの成分を有している。面３３の法線ベクトルは、スライド金型の移動方向のベクトルに対して直角である。図１１（ｂ）に示す面３４の法線ベクトルは、面３２の法線ベクトルと同様、スライド金型の移動方向のベクトルに対して４５度であるから、同じ向きの成分を有している。
【００４２】
このように、本実施の形態にかかる台座３によれば、相対して配置されレンズユニット２の光軸に垂直の方向に移動する２つのスライダ金型によって、３個以上の横穴３ｅが成形できるので、スライド金型の製作費（初期費用）が低減でき、また、台座３の製造原価を低減できる。
【図面の簡単な説明】
【００４３】
【図１】本実施の形態にかかるカメラモジュールの外観斜視図である。
【図２】図１に示すカメラモジュールの分解斜視図である。
【図３】図１に示す断面Ｘ−Ｘ’位置でのカメラモジュールの縦断面図である。
【図４】図１に示すカメラモジュールのバレル保持部の斜視図である。
【図５】図１に示すカメラモジュールの台座の斜視図である。
【図６】図１に示すカメラモジュールのばね押さえの斜視図である。
【図７】ばね押さえが台座に係合する状態を説明するための図である。
【図８】焦点調節機能を説明するための図である。
【図９】台座の成形金型を説明するための図である。
【図１０】従来の成形金型を説明するための図である。
【図１１】台座の横穴の形状を説明するための図である。
【符号の説明】
【００４４】
１…カメラモジュール、２…レンズユニット、２ａ…バレル、３…台座（台座マウント）、３ａ…レンズ収納部（収納部）、３ｆ…凹部（移動手段）、３ｆ1…第１の保持位置、３ｆ2…第２の保持位置、３ｊ…凸部、４…第１のレンズ、６…第２のレンズ、８…バレル保持部、８ｃ…フランジ部、８ｄ…凸部（移動手段）、９…ばね押さえ（弾性部材押圧手段）、１０…ばね（弾性部材）、１６…センサ（撮像素子）
【図１】
2009139558.tif 000003
【図２】
2009139558.tif 000004
【図３】
2009139558.tif 000005
【図４】
2009139558.tif 000006
【図５】
2009139558.tif 000007
【図６】
2009139558.tif 000008
【図７】
2009139558.tif 000009
【図８】
2009139558.tif 000010
【図９】
2009139558.tif 000011
【図１０】
2009139558.tif 000012
【図１１】
2009139558.tif 000013